(57)【要約】【課題】連続した通信異常発生時に応答がない異常状態の計測端末との通信に要する無駄な時間を低減し、データのリアルタイム性を維持することができるものである。【解決手段】計測端末３（３Ａ、・・・、３ｎ）との通信が連続して異常と判定する回数が所定回数を超過した場合、計測端末３（３Ａ、・・・、３ｎ）の通信異常と判断し、通信管理手段８が自動的に異常状態の計測端末に対するデータの再要求回数を低減する。これによって、応答がない異常状態の計測端末との通信に要する無駄な時間を低減し、データのリアルタイム性を維持することができる。【選択図】図１
2006148193.tif 000002
【特許請求の範囲】
【請求項１】
複数台の計測端末から受信したデータを検出する計測データ検出手段と、前記計測端末にデータを要求してから受信するまでの時間を検出する応答時間検出手段と、前記計測データ検出手段と前記応答時間検出手段から通信状態を判定する通信状態判定手段と、データ再要求回数とデータ要求を行う計測端末を決定する通信管理手段と、複数台の計測端末とネットワークを介して通信を行う通信手段を具備した遠隔監視装置であって、前記通信状態判定手段において通信が連続して異常と判定する回数が所定回数を超過した場合、自動的に異常状態の計測端末に対するデータの再要求回数を低減する前記通信管理手段を持つことを特徴とする遠隔監視装置。
【請求項２】
複数台の計測端末から受信したデータを検出する計測データ検出手段と、前記計測端末にデータを要求してから受信するまでの時間を検出する応答時間検出手段と、前記計測データ検出手段と前記応答時間検出手段から通信状態を判定する通信状態判定手段と、データ再要求回数とデータ要求を行う計測端末を決定する通信管理手段と、複数台の計測端末とネットワークを介して通信を行う通信手段を具備した遠隔監視装置であって、前記通信状態判定手段において通信が連続して異常と判定する回数が所定回数を超過した場合、自動的に異常状態の計測端末の異常と判定するための応答時間を短くする前記通信管理手段を持つことを特徴とする、請求項１記載の遠隔監視装置。
【請求項３】
計測端末との通信が異常状態から正常状態に復帰した場合、自動的にデータ要求回数及び異常と判定するための応答時間を正常時設定に戻すことを特徴とする、請求項１〜２記載の遠隔監視装置。
【請求項４】
計測端末毎に異常判定時間入力手段を設け、通信異常と判定する時間を可変できることを特徴とする、請求項１〜３のいずれかに記載の遠隔監視装置。
【請求項５】
計測端末毎に再要求回数入力手段を設け、通信異常と判定した場合に再度データ要求する回数を可変できることを特徴とする、請求項１〜４のいずれかに記載の遠隔監視装置。
【請求項６】
ネットワーク通信状態判定手段と、計測周期管理手段を設け、前記ネットワーク通信状態判定手段が判定するネットワーク上の通信負荷に応じて、前記計測周期管理手段が自動的にデータ要求周期を可変することを特徴とする、請求項１〜５に記載の遠隔監視装置。
【請求項７】
計測端末毎の計測失敗情報記憶手段を設け、ネットワーク上の通信負荷が低い場合に、前記計測失敗情報記憶手段で記憶された計測失敗情報を基に、前記計測端末のデータ記憶装置から過去のデータを取得することを特徴とする、請求項１〜６に記載の遠隔監視装置。
【発明の詳細な説明】
【技術分野】
【０００１】
本発明は、計測端末の遠隔監視装置に関するものである。
【背景技術】
【０００２】
従来、この種の遠隔監視装置では、例えば図６に記載された遠隔監視装置があった。
【０００３】
図６において、ネットワーク通信線１０６でネットワーク上に接続された空気調和機１０７を監視制御するコントローラ１０３からデータを送受信する通信手段１０４と、通信する周期を決定する通信管理手段１０５とを備えた中央監視盤１０１を設け、中央監視盤１０１は定期的にコントローラ１０３とデータの送受信を行っている（例えば、特許文献１参照）。
【特許文献１】特開２００２−１０５３２号公報
【発明の開示】
【発明が解決しようとする課題】
【０００４】
しかしながら、前記従来の構成では、コントローラ１０３が故障等の通信異常時でも通信正常時と同様にデータ要求を行っていた。
【０００５】
このため故障等の通信異常が発生しているコントローラ１０３に対して通信ができないにもかかわらず、データの再要求を繰り返してしまい、データのリアルタイム性が維持されない課題を有していた。また、ネットワーク上の通信負荷を大きくしてしまう課題を有していた。
【０００６】
本発明は、前記従来の課題を解決するもので、連続した通信異常発生時に自動的に異常状態の計測端末に対するデータの再要求回数を低減することで、応答がない異常状態の計測端末との通信に要する無駄な時間を低減し、データのリアルタイム性を維持することができる遠隔監視装置を提供することを目的とする。
【課題を解決するための手段】
【０００７】
前記従来の課題を解決するために、本発明の遠隔監視装置は、計測端末との通信が連続して異常と判定する回数が所定回数を超過した場合、計測端末の通信異常と判断し、自動的に異常状態の計測端末に対するデータの再要求回数を低減するものである。
【０００８】
これによって、応答がない異常状態の計測端末との通信に要する無駄な時間を低減することができる。
【発明の効果】
【０００９】
本発明の遠隔監視装置は、連続した通信異常発生時に自動的に異常状態の計測端末に対するデータの再要求回数を低減することで、応答がない異常状態の計測端末との通信に要する無駄な時間を低減し、データのリアルタイム性を維持することができる。
【発明を実施するための最良の形態】
【００１０】
第１の発明は、ネットワーク上に接続された複数台の計測端末から受信したデータを検出する計測データ検出手段と、計測端末にデータを要求してから受信するまでの時間を検出する応答時間検出手段と、計測データ検出手段と応答時間検出手段から通信状態を判定する通信状態判定手段と、データ再要求回数とデータ要求を行う計測端末を決定する通信管理手段と、複数台の計測端末とネットワーク通信線を介して通信を行う通信手段を具備
した遠隔監視装置であって、通信状態判定手段において通信が連続して異常と判定する回数が所定回数を超過した場合、通信管理手段が自動的に異常状態の計測端末に対するデータの再要求回数を低減するもので、この構成をなすことにより、応答がない異常状態の計測端末との通信に要する無駄な時間を低減し、データのリアルタイム性を維持することができる。
【００１１】
第２の発明は、特に、第１の発明の通信状態判定手段において通信が連続して異常と判定する回数が所定回数を超過した場合、通信管理手段が自動的に異常状態の計測端末の異常と判定するための応答時間を短くすることにより、複数台の計測端末からのデータ取得に要する時間を低減し、データのリアルタイム性を維持することができる。
【００１２】
第３の発明は、特に、第１〜２の発明の計測端末との通信が異常状態から正常状態に復帰した場合、通信管理手段が自動的にデータ要求回数及び異常と判定するための応答時間を正常時設定に戻すことにより、計測端末及びネットワーク状態に適したデータ送受信ができ、データ送受信の信頼性を向上することができる。
【００１３】
第４の発明は、計測端末毎に異常判定時間入力手段を設け、特に、第１〜３の発明の通信異常と判定する時間を可変できることにより、計測端末及びネットワーク状態に適したデータ送受信ができ、ネットワーク通信状態の安定性を維持することができる。
【００１４】
第５の発明は、計測端末毎に再要求回数入力手段を設け、特に、第１〜４の発明の通信異常と判定した場合に再度データ要求する回数を可変できることにより、計測端末及びネットワーク状態に適したデータ送受信ができ、データ送受信の信頼性を向上することができる。
【００１５】
第６の発明は、ネットワーク通信状態判定手段と、計測周期管理手段を設け、特に、第１〜５の発明のネットワーク通信状態判定手段が判定するネットワーク上の通信負荷に応じて、計測周期管理手段が自動的にデータ要求周期を可変することにより、ネットワーク上の通信負荷の平準化を行うことができる。
【００１６】
第７の発明は、計測端末毎の計測失敗情報記憶手段を設け、特に、第１〜６の発明のネットワーク上の通信負荷が低い場合に、計測失敗情報記憶手段で記憶された計測失敗情報を基に、計測端末のデータ記憶装置からデータ取得に失敗した過去のデータを取得することにより、計測データの欠値を防ぐことができ、データ解析の精度を向上することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における遠隔監視装置１のブロック図を示すものである。
【００１９】
図１において、遠隔監視装置１は、計測データ検出手段５、応答時間検出手段６、通信状態判定手段７、通信管理手段８、通信手段９から構成されている。
【００２０】
計測データ検出手段５は、複数台の計測端末３（３Ａ、・・・、３ｎ）から受信したデータを検出する。
【００２１】
応答時間検出手段６は、複数台の計測端末３（３Ａ、・・・、３ｎ）にデータを要求して
から計測データ検出手段５が受信するまでの時間を計測端末毎に検出する。
【００２２】
通信状態判定手段７は、計測データ検出手段５で検出したデータのチェック（パリティ、データ長等）と応答時間検出手段６で検出した時間から通信状態（正常、異常）を判定する。
【００２３】
通信管理手段８は、データ要求を行う計測端末と通信異常時のデータ再要求回数を決定する。計測端末との通信が異常と判定された場合は、決定された再要求回数だけデータ要求を行い、それでも応答がなければ次の計測端末とのデータ通信に移行する。以降この動作を繰り返す。
【００２４】
通信手段９は、ネットワーク２上に接続された複数台の計測端末３（３Ａ、・・・、３ｎ）とネットワーク通信線１０を介してデータの送受信を行う。
【００２５】
以上のように構成された遠隔監視装置１は、通信状態判定手段７において通信が連続して異常と判定する回数が所定回数を超過した場合、通信管理手段８が自動的に異常状態の計測端末に対するデータの再要求回数を低減（例：正常時＝２回、異常時＝０回）するものである。したがって応答がない異常状態の計測端末との通信に要する無駄な時間を低減し、データのリアルタイム性を維持することができる。
【００２６】
また、異常状態の計測端末との通信回数が低減するため、ネットワーク上の通信負荷を低減することができる。
【００２７】
（実施の形態２）
図１は、本発明の第２の実施の形態における遠隔監視装置１のブロック図を示すものである。
【００２８】
図１において、実施の形態１で説明した部分については同じ符号を用い説明を省略する。
【００２９】
以上のように構成された遠隔監視装置１は、通信状態判定手段７において通信が連続して異常と判定する回数が所定回数を超過した場合、通信管理手段８が自動的に異常状態の計測端末の異常と判定するための応答時間を短く（例：正常時＝２秒、異常時＝１秒）するものである。
【００３０】
したがって複数台の計測端末３（３Ａ、・・・、３ｎ）からのデータ取得に要する時間を低減し、データのリアルタイム性を維持することができる。
【００３１】
（実施の形態３）
図１は、本発明の第３の実施の形態における遠隔監視装置１のブロック図を示すものである。
【００３２】
図１において、実施の形態１で説明した部分については同じ符号を用い説明を省略する。
【００３３】
以上のように構成された遠隔監視装置１は、複数台の計測端末３（３Ａ、・・・、３ｎ）との通信が異常状態から正常状態に復帰した場合、自動的にデータ再要求回数及び異常と判定するための応答時間を正常時設定（例：データ再要求回数＝２回、応答時間＝２秒）に戻すものである。
【００３４】
したがって複数台の計測端末３（３Ａ、・・・、３ｎ）及びネットワーク２の通信状態に適したデータ送受信ができる。
【００３５】
また、計測端末がデータ記憶装置４（４Ａ、・・・、４ｎ）に書き込み時やネットワーク通信過負荷等の一時的にデータ送受信ができない場合でもデータ再要求によりデータを受信することができるため、データ送受信の信頼性を向上することができる。
【００３６】
（実施の形態４）
図２は、本発明の第４の実施の形態における遠隔監視装置１のブロック図を示すものである。
【００３７】
図２において、実施の形態１で説明した部分については同じ符号を用い説明を省略する。
【００３８】
異常判定時間入力手段１１は、計測端末３（３Ａ、・・・、３ｎ）毎に通信異常と判定する異常時間を入力する（例：３Ａ＝３秒、３ｎ＝２秒）。
【００３９】
以上のように構成された遠隔監視装置１は、通信異常と判定する時間を計測端末３（３Ａ、・・・、３ｎ）毎に可変できるものである。したがって計測端末３（３Ａ、・・・、３ｎ）及びネットワーク２の通信状態に適したデータ送受信ができ、ネットワーク２の通信状態の安定性を維持することができる。
【００４０】
（実施の形態５）
図３は、本発明の第５の実施の形態における遠隔監視装置１のブロック図を示すものである。
【００４１】
図３において、実施の形態１で説明した部分については同じ符号を用い説明を省略する。
【００４２】
再要求回数入力手段１２は、計測端末３（３Ａ、・・・、３ｎ）毎に通信異常と判定した場合に再度データ要求する回数を入力する（例：３Ａ＝３回、３ｎ＝２回）。
【００４３】
以上のように構成された遠隔監視装置１は、通信異常と判定した場合に再度データ要求する回数を計測端末３（３Ａ、・・・、３ｎ）毎に可変できるものである。したがって計測端末３（３Ａ、・・・、３ｎ）及びネットワーク２の状態に適したデータ送受信ができ、データ送受信の信頼性を向上することができる。
【００４４】
（実施の形態６）
図４は、本発明の第６の実施の形態における遠隔監視装置１のブロック図を示すものである。
【００４５】
図４において、実施の形態１で説明した部分については同じ符号を用い説明を省略する。
【００４６】
ネットワーク通信状態判定手段１３は、ネットワーク２の通信負荷を判定する。
【００４７】
計測周期管理手段１４は、計測端末３（３Ａ、・・・、３ｎ）にデータを要求する周期を決定する。
【００４８】
以上のように構成された遠隔監視装置１は、ネットワーク通信状態判定手段１３が判定
するネットワーク２上の通信負荷に応じて、計測周期管理手段１４が自動的にデータ要求周期を可変（例：通信負荷高い＝１０分、通信負荷低い＝１分）するものである。したがってネットワーク２上の通信負荷の平準化を行うことができる。
【００４９】
（実施の形態７）
図５は、本発明の第７の実施の形態における遠隔監視装置１のブロック図を示すものである。
【００５０】
図５において、実施の形態１で説明した部分については同じ符号を用い説明を省略する。
【００５１】
計測失敗情報記憶手段１５は、計測端末３（３Ａ、・・・、３ｎ）毎のデータ取得に失敗した情報（日時、アドレス等）を記憶する。
【００５２】
以上のように構成された遠隔監視装置１は、ネットワーク２上の通信負荷が低い場合に、計測失敗情報記憶手段１５で記憶された計測失敗情報を基に、計測端末３（３Ａ、・・・、３ｎ）のデータ記憶装置４（４Ａ、・・・、４ｎ）からデータ取得に失敗した過去のデータを取得するものである。したがって計測データの欠値を防ぐことができ、データ解析の精度を向上することができる。
【産業上の利用可能性】
【００５３】
以上のように、本発明にかかる遠隔監視装置は、連続した通信異常発生時に自動的に異常状態の計測端末に対するデータの再要求回数を低減することで、応答がない異常状態の計測端末との通信に要する無駄な時間を低減し、データのリアルタイム性を維持することができるので、空気調和機や照明設備等を制御するコントロール端末とのデータ送受信にも適用できる。
【図面の簡単な説明】
【００５４】
【図１】本発明の実施の形態１〜３における遠隔監視装置のブロック図
【図２】本発明の実施の形態４における遠隔監視装置のブロック図
【図３】本発明の実施の形態５における遠隔監視装置のブロック図
【図４】本発明の実施の形態６における遠隔監視装置のブロック図
【図５】本発明の実施の形態７における遠隔監視装置のブロック図
【図６】従来の遠隔監視装置のブロック図
【符号の説明】
【００５５】
１  遠隔監視装置
２  ネットワーク
３Ａ、３ｎ  計測端末
４Ａ、４ｎ  データ記憶装置
５  計測データ検出手段
６  応答時間検出手段
７  通信状態判定手段
８  通信管理手段
９  通信手段
１０  ネットワーク通信線
１１  異常判定時間入力手段
１２  再要求回数入力手段
１３  ネットワーク通信状態判定手段
１４  計測周期管理手段
１５  計測失敗情報記憶手段
【図１】
2006148193.tif 000003
【図２】
2006148193.tif 000004
【図３】
2006148193.tif 000005
【図４】
2006148193.tif 000006
【図５】
2006148193.tif 000007
【図６】
2006148193.tif 000008